(57)【特許請求の範囲】
【請求項１】
皮膚に当接して止まる当接面を備え、弾性を有する本体と、
前記当接面のみに形成され、内部に機能性物質を保持するための凹部と、
前記凹部内に突出形成され、先端部が前記皮膚を押圧する皮膚押圧部と、
を有する経皮投与装置。
【請求項２】
前記皮膚押圧部には、前記皮膚に吸着する吸着部が形成されている請求項１に記載の経皮投与装置。
【請求項３】
前記凹部の底部における前記皮膚押圧部の外周部には、リング状の溝が形成されている請求項１または請求項２に記載の経皮投与装置。
【請求項４】
前記皮膚押圧部の先端部は、前記本体の前記当接面と同じ高さに形成されている請求項１〜３の何れか１項に記載の経皮投与装置。
【請求項５】
前記本体を前記当接面が前記皮膚に当接した状態で保持すると共に、前記凹部内の機能性物質を前記皮膚側に押圧するための本体保持機構を有する請求項１〜４の何れか１項に記載の経皮投与装置。
【請求項６】
前記本体保持機構は、前記本体を保持する本体保持部と、前記皮膚に接着する皮膚接着部と、を有する接着テープである請求項５に記載の経皮投与装置。
【請求項７】
前記本体保持機構は、前記本体に形成され前記皮膚に吸着する吸着部である請求項５に記載の経皮投与装置。
【請求項８】
前記皮膚押圧部における前記皮膚に当接する部位の周縁部にエッジが形成されている請求項１〜７の何れか１項に記載の経皮投与装置。
【請求項９】
前記当接面と前記凹部とを覆い、前記本体を前記当接面が前記皮膚に当接した状態で保持する際には剥離可能な保護シートを有する請求項５〜７の何れか１項に記載の経皮投与装置。
【請求項１０】
請求項１〜９の何れか１項に記載の経皮投与装置の製造方法であって、
感光性樹脂を露光して凹部を有するマイクロパイルパターンを形成すること、このマイクロパイルパターンの反転形状を電鋳加工してマイクロパイル用鋳型を作成すること、このマイクロパイル用鋳型を用いて経皮投与装置を射出成形することを有している経皮投与装置の製造方法。
【発明の詳細な説明】
【技術分野】
【０００１】
本発明は、皮膚の表皮に生じたシミ等を安全に消失させたり、シワを伸ばしたり等するために、美白等の装飾・機能効果を与える経皮投与装置及びその製造方法に関する。
【背景技術】
【０００２】
従来、皮膚の表皮の角質層に、美白等の装飾・機能効果を与えるために、粉末あるいは液体物質を外表面に塗布していた。そのため外的要因、たとえば発汗や気象条件等によりその機能が著しく低下変動することが余儀なくされていた。【０００３】
このため、上述の外的要因に左右されないやり方として、Ｘ線リソグラフィー工程と電鋳工程と射出成形工程により製造する機能性マイクロパイルを用いた手法が提唱されている（特許文献１、２参照）。
【特許文献１】特開２００３−２３８３４７号公報
【特許文献２】特開２００７−１３０４１７号公報
【発明の開示】
【発明が解決しようとする課題】
【０００４】
本発明は、皮膚を傷めることも、消毒する必要もなく、表皮に生じたシミ等の消失能力やシワ伸し能力等がある薬液乳剤を表皮の角質層を通過し表皮の底部にあるシミに到達させることにより、その薬液に応じた能力を経皮より発揮する、所謂経皮能力を有する経皮投与装置及びその製造方法を提供する。
【課題を解決するための手段】
【０００５】
本発明の第１の態様は、皮膚に当接して止まる当接面を備え、弾性を有する本体と、前記当接面のみに形成され、内部に機能性物質を保持するための凹部と、前記凹部内に突出形成され、先端部が前記皮膚を押圧する皮膚押圧部と、を有する。
【０００６】
上記の態様では、弾性を有する本体に設けられた当接面が皮膚に当接して止まるので、経皮投与装置の先端が皮膚に刺さることが無い。このため、皮膚を傷めることも、消毒する必要もない。また、当接面の凹部に保持された機能性物質が皮膚の表皮に押し当てられて角質層へ浸透し、機能性物質による装飾・機能効果により皮膚の表皮のシミ等の変質部を消失させて美白にしたり、シワを伸ばすことができる。しかも、シート状の機能性物質を皮膚の表皮に当ててマイクロパイルの先端で押し当てる手法では機能性物質シートを一旦使用すると交換するため機能性物質が無駄になるが、本発明では凹部により、機能性物質が保持されるため、機能性物質を無駄なく有効に使用することができる。【０００７】
また、凹部内に突出形成された皮膚押圧部の先端部が皮膚を押圧するため、機能性物質の皮膚の角質層への浸透性能が向上する。  
【０００８】
本発明の第２の態様は、前記皮膚押圧部には、前記皮膚に吸着する吸着部が形成されている。
本発明の第３の態様は、前記凹部の底部における前記皮膚押圧部の外周部には、リング状の溝が形成されている。
本発明の第４の態様は、前記皮膚押圧部の先端部は、前記本体の前記当接面と同じ高さに形成されている。
【０００９】
本発明の第５の態様は、前記本体を前記当接面が前記皮膚に当接した状態で保持すると共に、前記凹部内の機能性物質を前記皮膚側に押圧するための本体保持機構を有する。
【００１０】
上記の態様では、本体保持機構により、当接面が皮膚に当接した状態で本体が皮膚に保持されると共に、凹部内の機能性物質が皮膚側に押圧される。このため、機能性物質の皮膚の角質層への浸透性能を向上することができる。
【００１１】
本発明の第６の態様では、前記本体保持機構は、前記本体を保持する本体保持部と、前記皮膚に接着する皮膚接着部と、を有する接着テープである。
【００１２】
上記の態様では、本体保持機構が、本体を保持する本体保持部と、皮膚に接着する皮膚接着部と、を有する接着テープであるため、本体を皮膚に確実に貼り付けることができる。【００１３】
本発明の第７の態様では、前記本体保持機構は、前記本体に形成され前記皮膚に吸着する吸着部である。
【００１４】
上記の態様では、本体保持機構が、本体に形成され、皮膚に吸着する吸着部であるため、接着テープ等を使用しないで本体を皮膚に容易に貼り付けることができる。【００１５】
本発明の第８の態様では、前記皮膚押圧部における前記皮膚に当接する部位の周縁部にエッジが形状されている。
【００１６】
上記の態様では、皮膚押圧部における皮膚に当接する部位の周縁部に形成されたエッジが皮膚の角質層を刺激する。このため、機能性物質の皮膚の角質層への浸透性能がさらに向上する。【００１７】
本発明の第９の態様では、前記当接面と前記凹部とを覆い、前記本体を前記当接面が前記皮膚に当接した状態で保持する際には剥離可能な保護シートを有する。
【００１８】
上記の態様では、本体を皮膚に当接する際に、当接面と凹部とを覆う保護シートを剥離するため、保管状態での当接面と、凹部内の機能性物質とを保護シートによって保護できる。【００１９】
本発明の第１０の態様では、感光性樹脂を露光して凹部を有するマイクロパイルパターンを形成すること、このマイクロパイルパターンの反転形状を電鋳加工してマイクロパイル用鋳型を作製すること、このマイクロパイル用鋳型を用いて経皮投与装置を射出成形することを有している。
【００２０】
上記の態様では、感光性樹脂を露光して凹部を有するマイクロパイルパターンを形成し、このマイクロパイルパターンの反転形状を電鋳加工してマイクロパイル用鋳型を作製し、このマイクロパイル用鋳型を用いて経皮投与装置を射出成形するため、マイクロパイルパターンを形成するのに紫外線感光性樹脂を用いて紫外線で露光する安価な方法を採用することができる。
【発明の効果】
【００２１】
以上説明したように、本発明の第１の態様によれば、経皮投与装置の先端が皮膚に突き刺さらないので皮膚を傷めることも、消毒する必要もない。しかも、凹部により機能性物質が保持されるため、機能性物質を無駄なく使用できるとともに経皮投与装置の先端を単に表皮に押し当てる簡単な手法により機能性物質による装飾・機能効果で皮膚表層のシミの変質部を消失させ美白にしたり、シワを伸ばすことができるという優れた効果を得ることができる。【００２２】
本発明の第２〜４の態様によれば、機能性物質の皮膚角質層への浸透性能が向上する。
【００２３】
本発明の第５の態様によれば、機能性物質の皮膚角質層への浸透性能が向上する。
【００２４】
本発明の第６の態様によれば、皮膚に確実に貼り付けることができる。
【００２５】
本発明の第７の態様によれば、皮膚に容易に貼り付けることができる。
【００２６】
本発明の第８の態様によれば、機能性物質の皮膚角質層への浸透性能がさらに向上する。
【００２７】
本発明の第９の態様によれば、保管状態での当接面と、凹部内の機能性物質とを保護できる。
【００２８】
本発明の第１０の態様によれば、マイクロパイルパターンを形成するのに紫外線を用いることができるので、製造設備投資費用として紫外線装置が数百万円、紫外線マスクが１０万円程度しかかからないため、Ｘ線装置よりも１／１００００程度と比較にならないほど超低価格となるため、設備投資をやり易くできるとともに、その結果として安価な経皮投与装置の供給ができるため、消費者が買い求め易くなって広く普及するという優れた効果を得ることができる。
【図面の簡単な説明】
【図面の簡単な説明】
【００２９】
【図１】参考例１の経皮投与装置を示す平面図である。
【図２】図１の２−２断面線に沿った断面図である。
【図３】図１の要部拡大図である。
【図４】図３の４−４断面線に沿った断面図である。
【図５】参考例２の経皮投与装置を示す図３に対応する平面図である。
【図６】図５の６−６断面線に沿った断面図である。
【図７】参考例３の経皮投与装置を示す図３に対応する平面図である。
【図８】図７の８−８断面線に沿った断面図である。
【図９Ａ】参考例１の経皮投与装置の製造工程を示す図である。
【図９Ｂ】参考例１の経皮投与装置の製造工程を示す図である。
【図９Ｃ】参考例１の経皮投与装置の製造工程を示す図である。
【図９Ｄ】参考例１の経皮投与装置の製造工程を示す図である。
【図９Ｅ】参考例１の経皮投与装置の製造工程を示す図である。
【図９Ｆ】参考例１の経皮投与装置の製造工程を示す図である。
【図９Ｇ】参考例１の経皮投与装置の製造工程を示す図である。
【図９Ｈ】参考例１の経皮投与装置の製造工程を示す図である。
【図９Ｉ】参考例１の経皮投与装置の製造工程を示す図である。
【図９Ｊ】参考例１の経皮投与装置の製造工程を示す図である。
【図９Ｋ】参考例１の経皮投与装置の製造工程を示す図である。
【図９Ｌ】参考例１の経皮投与装置の製造工程を示す図である。
【図９Ｍ】参考例１の経皮投与装置の製造工程を示す図である。
【図１０】参考例４の経皮投与装置の使用状態を示す断面図である。
【図１１】本発明の第１実施形態の経皮投与装置を示す斜視図である。
【図１２】図１１の１２−１２断面線に沿った保護シートを追加した断面図である。
【図１３】本発明の第１実施形態の経皮投与装置の使用状態を示す断面図である。
【図１４】本発明の第２実施形態の経皮投与装置の使用状態を示す断面図である。
【図１５】本発明の第３実施形態の経皮投与装置の使用状態を示す断面図である。
【図１６】本発明の第４実施形態の経皮投与装置を示す斜視図である。
【図１７】図１６の１７−１７断面線に沿った保護シートを追加した断面図である。
【図１８】本発明の第４実施形態の経皮投与装置の使用状態を示す断面図である。
【図１９】本発明の第５実施形態の経皮投与装置を示す斜視図である。
【図２０】図１９の２０−２０断面線に沿った保護シートを追加した断面図である。
【図２１】本発明の第５実施形態の経皮投与装置の使用状態を示す断面図である。
【図２２】本発明の第６実施形態の経皮投与装置を示す斜視図である。
【図２３】図２２の２３−２３断面線に沿った断面図である。
【図２４】本発明の第７実施形態の経皮投与装置を示す斜視図である。
【図２５】図２４の２５−２５断面線に沿った断面図である。
【発明を実施するための最良の形態】
【００３０】
以下、本発明を実施するための形態について説明するが、本発明は以下の実施形態について何ら限定されるものではない。【００３１】
（参考例１）
図１及び図２に示される経皮投与装置の本体１０は弾性を有しており、一例として、本体１０は、エラストマー樹脂やシリコンゴム等の弾性を有する生分解性樹脂で形成されている。また、本体１０は基板１２とこの基板１２上に設けられた複数のマイクロパイル１４とを有しており、マイクロパイル１４の先端は、皮膚に突き刺さることなく、当接して止まる平坦な当接面１４Ａとなっている。この当接面１４Ａには、一例として７個のディンプル形状の凹部１８が形成されている。また、図３及び図４に示されるように、これらの凹部１８には、粉末又は液状のビタミンＣやプロビタミンＣ又はビタミンＣを含浸させたセラミックス製微粒子等の美白効果のある機能性物質１６が充填され保持されている。
【００３２】
なお、本実施形態のマイクロパイル１４は機能性物質を皮膚表皮の角質層に十分供給するために、基板１２上に多数設けられており、例えば、１ｃｍ正方形に１万個設けられている。【００３３】
これらの凹部１８は、一例として、図３に示すように、当接面１４Ａに円孔を設けることにより形成されている。また、図２及び図４に示す、マイクロパイル１４の長さ（高さ）Ｈ１は５０μｍ〜６００μｍ、凹部１８の深さＨ２は１０μｍ〜２００μｍ、マイクロパイル１４の角度αは４０°、当接面１４Ａの直径Ｌ１は０．１ｍｍ、マイクロパイル１４の間隔Ｌ２は０．４ｍｍである。【００３４】
（参考例２）
図５及び図６に示す参考例２のように、凹部１８の円孔の数を６個等の７個以外の数にしても良い。さらに、図６に示すように、凹部１８の内部にシリカゲル１９を充填し、このシリカゲル１９に機能性物質１６を含浸させることで、機能性物質１６の保持性能を向上させるようにしても良い。
【００３５】
（参考例３）
図７及び図８に示す参考例３のように、凹部１８を円孔と、この円孔を中心とした環状の複数の溝と、で形成しても良い。
【００３６】
（製造方法）
図９Ａ〜図９Ｍは、一例として参考例１における経皮投与装置の製造方法を示したものである。この製造方法では、感光性樹脂を露光して凹部を有するマイクロパイルパターンを形成すること、このマイクロパイルパターンの反転形状を電鋳加工してマイクロパイル用鋳型を作製すること、このマイクロパイル用鋳型を用いて経皮投与装置を射出成形することを有している。
【００３７】
詳述すると、図９Ａにて、ステンレス製基盤１０９の上にレジスト（紫外線感光性樹脂）１１０をコートする。図９Ｂにて、白色部１１１と黒色部１１２を有するリソグラフィマスク１１３を介して上方から紫外線を照射すると、白色部１１１を透過した紫外線により、図９Ｃに示すように露光してＡ部が溶解する。次に、図９Ｄにて、前記Ａ部に銅１１４を電鋳にて電着させた後、図９Ｅにてレジスト１００を溶剤で溶かし、その後、図９Ｆにて、ネガレジスト１１５をコートする。【００３８】
次に、図９Ｇにて、白色部１１６と黒色部１１７を有するリソグラフィマスク１１８を矢印の方向に傾けながら回転露光すると、図９Ｈに示すように傾斜のついたネガレジスト１１５Ａが形成される。この後、図９Ｉにて、蒸着で全面に銅１１９を付着させて導電性を付与させた後、図９Ｊにて、ニッケル１２０を電鋳にて電着させる。【００３９】
次に、ネガレジスト１１５を溶剤で溶かすとともに銅１１４をエッチングで剥離し、上下反転すると図９Ｋに示すようにニッケル金型１２０ができる。そして、図９Ｌにて、ニッケル１２１を電鋳にて電着させ、図９Ｍにて、ニッケル金型１２０を取り除いて上下反転するとマイクロパイル用鋳型１２１が完成し、この凹部１２２にエラストマー樹脂やシリコンゴム等の弾性を有する生分解性樹脂を充填すると凹部を有する経皮投与装置が射出成形される。【００４０】
（作用）
参考例１〜３は、上記のように構成されており、以下その作用について説明する。図４に示すように、経皮投与装置の本体１０におけるマイクロパイル１４の当接面１４Ａに形成された凹部１８に、粉末又は液状の美白剤である機能性物質１６を充填して保持させる。次に、経皮投与装置の本体１０の基板１２を手で持ってマイクロパイル１４の当接面１４Ａを被験者の顔面や腕等の皮膚に生じたシミに押し当てて、軽く数回叩いた後、経皮投与装置の本体１０を皮膚から取り外すと美白治療は終了する。また、機能性物質１６として、シワを伸ばす物質を用いて、上述と同様にシワに押し当てるようにすれば、シワ伸ばし治療が行える。
【００４１】
このように、参考例１〜３では、治療時、マイクロパイル１４の先端は被験者の皮膚に単に押し当てられているだけで止まり皮膚に刺さることが無い。このため、痛みは無く、刺し傷もないので治療後に消毒する必要もない。
【００４２】
この治療の結果、マイクロパイル１４の凹部１８に充填保持された被験者の皮膚と同系色の機能性物質１６が被験者の変質部の表皮の角質層へと浸透し、所定時間が経過すると、機能性物質による修飾・機能効果が発揮されてシミが消失することが確認された。【００４３】
（参考例４）
次に、図１０に示す参考例４について説明する。なお、参考例１と同一部材に付いては、同一符号を付してその説明を省略する。図１０に示されるように、参考例４では、経皮投与装置の本体１０に、本体保持機構の一例としての接着テープ２０が取付けられている。この接着テープ２０は、接着テープ２０の中央部に設けられ、本体１０を保持する本体保持部２０Ａと、接着テープ２０の周縁部に設けられ、皮膚Ｓに接着する皮膚接着部２０Ｂと、を有しており、本体保持部２０Ａが本体１０の裏面１０Ａに接着されている。従って、接着テープ２０の皮膚接着部２０Ｂを皮膚Ｓに接着することによって、マイクロパイル１４の当接面１４Ａが皮膚Ｓに当接して止まる。このため、本体１０を皮膚Ｓに貼り付けた状態で保持することができると共に、凹部１８内の機能性物質１６を皮膚Ｓ側（図１０矢印Ａ方向）に押圧できるようになっている。
【００４４】
従って、参考例４では、接着テープ２０により、マイクロパイル１４の当接面が皮膚Ｓに当接した状態で保持されると共に、凹部１８内の機能性物質１６が皮膚Ｓ側に押圧されることで、機能性物質１６の表皮の角質層への浸透性能を向上することができる。
【００４５】
（第１実施形態）
次に、図１１〜図１３に示す第１実施形態について説明する。なお、参考例１と同一部材に付いては、同一符号を付してその説明を省略する。
【００４６】
図１１に示されるように、本実施形態では、経皮投与装置の本体１０における皮膚に突き刺さることなく当接して止まる当接面１０Ｂに凹部３０が形成されている。なお、図示を省略するが当接面１０Ｂには複数の凹部３０が形成されている。図１１に示すように、これらの凹部３０は、平面視でリング状となっており、図１２に示すように、これらの凹部３０は、側断面視では半球状となっている。また、これらの凹部３０の内部にはそれぞれ機能性物質１６が保持されるようになっている。さらに、凹部３０の中央部は、皮膚に突き刺さることなく当接して止まる円形の当接面１０Ｃとなっている。【００４７】
当接面１０Ｂにおける凹部３０の外周部には、周方向へ所定の間隔、一例として９０度の間隔で、本体保持機構の一例としの吸着部３２が形成されている。また、当接面１０Ｃの中央部にも吸着部３２が形成されている。【００４８】
図１２に示されるように、吸着部３２は経皮投与装置の本体１０の厚さ方向に沿って円孔を設けることにより形成されている。また、これらの吸着部３２が弾性変形することにより、図１３に矢印Ａで示されるように、経皮投与装置の本体１０が皮膚Ｓに吸着するようになっている。【００４９】
また、経皮投与装置の本体１０には、当接面１０Ｂ、１０Ｃと凹部３０を覆う保護シート２８が設けられている。この保護シート２８は経皮投与装置の本体１０を皮膚に貼り付ける際には、剥離可能となっており、保護シート２８を剥離した後、経皮投与装置の本体１０を皮膚Ｓに貼り付ける。【００５０】
従って、本実施形態では、吸着部３２により、当接面１０Ｂ、１０Ｃが皮膚Ｓに当接した状態で経皮投与装置の本体１０が皮膚Ｓに貼り付いた状態に保持されると共に、凹部３０内の機能性物質１６が図１３に矢印Ｂで示されるように皮膚Ｓ側に押圧される。このため、機能性物質１６の表皮の角質層への浸透性能を向上することができる。【００５１】
また、本実施形態では、本体保持機構が、経皮投与装置の本体１０に形成され、皮膚Ｓに吸着する吸着部３２であるため、接着テープ等を使用しないで経皮投与装置の本体１０を皮膚Ｓに容易に貼り付けることができる。【００５２】
また、本実施形態では、保護シート２８によって、保管状態での経皮投与装置の本体１０の当接面１０Ｂ、１０Ｃと凹部３０内の機能性物質１６とを保護できる。【００５３】
（第２実施形態）
次に、図１４に示す第２実施形態について説明する。なお、第１実施形態と同一部材に付いては、同一符号を付してその説明を省略する。
【００５４】
図１４に示されるように、本実施形態では、凹部３０の底部３０Ａに、周方向に沿って所定の間隔で貫通孔３４が複数形成されている。また、本体１０の裏面１０Ａにおける、凹部３０と反対側となる部位には、機能性物質保持部の一例としての浅い溝３６が形成されており、溝３６の底部３６Ａには貫通孔３４が連通している。さらに、溝３６は蓋３８によって閉塞されており、溝３６の内部には凹部３０の内部と同様に、機能性物質１６が充填され保持されている。【００５５】
蓋３８は本体１０と同様にエラストマー樹脂やシリコンゴム等の弾性を有する樹脂で形成されている。なお、蓋３８の材質は本体１０と同じ材質に限定されず、異なる材質を使用してもよい。【００５６】
従って、本実施形態では、凹部３０に加えて溝３６にも機能性物質１６を保持することができ、機能性物質１６の皮膚の角質層への浸透量を増加させることができる。なお、蓋３８を指先で押圧することで、溝３６の内部の機能性物質１６を貫通孔３４を通して凹部３０の内部へ移動させることもできる。【００５７】
（第３実施形態）
次に、図１５に示す第３実施形態について説明する。なお、第２実施形態と同一部材に付いては、同一符号を付してその説明を省略する。
【００５８】
図１５に示されるように、本実施形態では、凹部３０の内周部３０Ｂに、機能性物質保持部の一例としての複数の細い亀裂４０が凹部３０の外方向に向かって形成されている。これらの亀裂４０は、開口側から先端側に向かって直線状に延びており、開口側から先端側に向かって開口幅が狭くなっている。【００５９】
なお、亀裂４０の形状は、開口側から先端側に向かって直線状に延びている形状には限定されず、開口側から先端側に向かって屈曲や湾曲をしながら延びる形状であってもよい。【００６０】
従って、本実施形態では、凹部３０に加えて亀裂４０にも機能性物質１６を保持することができるため、機能性物質１６の保有量が増えて表皮の角質層への浸透量を増加させることができるとともに、亀裂４０が細いため機能性物質１６を徐々に満遍なく放出させて機能効果を促進することができる。【００６１】
（第４実施形態）
次に、図１６〜図１８に示す第４実施形態について説明する。なお、第１実施形態と同一部材に付いては、同一符号を付してその説明を省略する。
【００６２】
図１６及び図１７に示されるように、本実施形態では、経皮投与装置の本体１０における皮膚に突き刺さることなく当接して止まる当接面１０Ｂに凹部４４が形成されている。なお、図示を省略するが当接面１０Ｂには複数の凹部４４が形成されている。図１６に示すように、これらの凹部４４は円柱形状に形成されている。また、これらの凹部４４の内部には、それぞれ機能性物質１８が保持されるようになっている。さらに、各凹部４４の内部には、底部４４Ａから皮膚押圧部４６が突出形成されている。これらの皮膚押圧部４６の先端部４６Ａは球面状となっており、皮膚を押圧するようになっている。なお、図１６に示す本実施形態では、皮膚押圧部４６を２つ形成したが、皮膚押圧部４６の数は１つまたは３つ以上としてもよい。【００６３】
凹部４４の底部４４Ａにおける皮膚押圧部４６の外周部には、リング状の溝４８が形成されており、溝４８の内部には凹部４４の内部と同様に機能性物質１６が充填されるようになっている。【００６４】
従って、本実施形態では、皮膚押圧部４６の先端部４６Ａが皮膚を押圧するため、凹部４４の内部と溝４８の内部とに保持された機能性物質１６の表皮の角質層への浸透性能が向上する。【００６５】
なお、凹部４４の底部４４Ａにおける皮膚押圧部４６の外周部に溝４８を形成しない構成としてもよい。【００６６】
（第５実施形態）
次に、図１９〜図２１に示す第５実施形態について説明する。なお、第１実施形態と同一部材に付いては、同一符号を付してその説明を省略する。
【００６７】
図１９及び図２０に示されるように、本実施形態では、経皮投与装置の本体１０における凹部３０の底部３０Ａに皮膚押圧部５０が突出形成されている。これらの皮膚押圧部５０の先端５０Ａは円形の平面となっており、先端５０Ａの周縁部５０Ｂにはエッジ（角）が形成されている（Ｒ形状となっていない）ことにより、皮膚に刺激を与え、機能性物質が浸透され易いようになっている。なお、図１９では皮膚押圧部５０の数を４個にしたが、皮膚押圧部５０の数は４個に限定されない。また、皮膚押圧部５０の先端５０Ａの形状も円形に限定されず、四角形等の矩形状でもよい。【００６８】
従って、本実施形態では、図２１に示されるように、皮膚押圧部５０における先端５０Ａの周縁部５０Ｂのエッジが皮膚角質層を刺激する。この結果、機能性物質１６の角質層への浸透性能がさらに向上する。【００６９】
（第６実施形態）
次に、図２２及び図２３に示す第６実施形態について説明する。なお、第１実施形態と同一部材に付いては、同一符号を付してその説明を省略する。
【００７０】
本実施形態では、経皮投与装置の本体１０における当接面６０に、多数のディンプル形状の凹部６１と、吸着部３２とが形成されている。これらの多数の凹部６１には機能性物質１６が充填されようになっており、吸着部３２によって本体１０が皮膚に吸着されると凹部６１に保持されている機能性物質１６が表皮の角質層へ浸透される。【００７１】
（第７実施形態）
次に、図２４及び図２５に示す第７実施形態について説明する。なお、第１実施形態と同一部材に付いては、同一符号を付してその説明を省略する。
【００７２】
本実施形態では、経皮投与装置の本体１０が、第１実施形態と同様にエラストマー樹脂やシリコンゴム等の弾性を有する樹脂で形成され、この樹脂の中にセラミックが含有されている。そして、当接面となる周縁部７０には吸着部３２が形成され、周縁部７０の内側に形成された矩形箱状の凹部７１の底部には周縁部７０よりも高さが少し高い多数の皮膚押圧部としてのマイクロパイル７２が形成されている。なお、マイクロパイル７２の先端は、皮膚に突き刺さることなく、当接して止まる平坦な当接面となっている。このように、樹脂の中にセラミックが含有されていることにより、マイクロパイル７２にはセラミック自体が有するミクロなポーラスに、機能性物質１６が浸透されようになっている。【００７３】
従って、凹部７１に機能性物質１６を充填して保持し、吸着部３２によって本体１０を皮膚に吸着させると、周縁部７０よりも高さが高いマイクロパイル７２の先端が皮膚に押圧され、このマイクロパイル７２の先端へ凹部７１より浸透してきた機能性物質１６が表皮の角質層から浸透される。【００７４】
なお、マイクロパイル７２の先端の周縁部にはエッジ（角）が形成されている（Ｒ形状となっていない）ことにより、皮膚に刺激を与え、機能性物質１６が浸透され易いようになっている。【００７５】
（その他の実施形態）
以上に於いては、本発明を特定の実施形態について詳細に説明したが、上記各実施形態を適宜組み合わせても良い。また、本発明は上記各実施形態に限定されるものではなく、本発明の範囲内にて他の種々の実施形態が可能であることは当業者にとって明らかである。
【図１】
0005507675.tif 000002
【図２】
0005507675.tif 000003
【図３】
0005507675.tif 000004
【図４】
0005507675.tif 000005
【図５】
0005507675.tif 000006
【図６】
0005507675.tif 000007
【図７】
0005507675.tif 000008
【図８】
0005507675.tif 000009
【図９Ａ】
0005507675.tif 000010
【図９Ｂ】
0005507675.tif 000011
【図９Ｃ】
0005507675.tif 000012
【図９Ｄ】
0005507675.tif 000013
【図９Ｅ】
0005507675.tif 000014
【図９Ｆ】
0005507675.tif 000015
【図９Ｇ】
0005507675.tif 000016
【図９Ｈ】
0005507675.tif 000017
【図９Ｉ】
0005507675.tif 000018
【図９Ｊ】
0005507675.tif 000019
【図９Ｋ】
0005507675.tif 000020
【図９Ｌ】
0005507675.tif 000021
【図９Ｍ】
0005507675.tif 000022
【図１０】
0005507675.tif 000023
【図１１】
0005507675.tif 000024
【図１２】
0005507675.tif 000025
【図１３】
0005507675.tif 000026
【図１４】
0005507675.tif 000027
【図１５】
0005507675.tif 000028
【図１６】
0005507675.tif 000029
【図１７】
0005507675.tif 000030
【図１８】
0005507675.tif 000031
【図１９】
0005507675.tif 000032
【図２０】
0005507675.tif 000033
【図２１】
0005507675.tif 000034
【図２２】
0005507675.tif 000035
【図２３】
0005507675.tif 000036
【図２４】
0005507675.tif 000037
【図２５】
0005507675.tif 000038